(57)【要約】【課題】水晶振動子の基本周波数の高調波がスプリアス信号としてＲＦ回路に戻っても、受信特性に悪影響を及ぼさないチューナ装置を提供する。【解決手段】入力端子１から入力されたＲＦ信号をミキサ５でＩＦ信号に変換して復調ＩＣ９で復調する。復調ＩＣ９は、信号のデジタル処理用のシステムクロックを発生するために水晶振動子１１，１２が接続されている。基本周波数の異なる水晶振動子１１，１２の復調ＩＣ９への接続を切替回路１３の制御によって切り替える。チューナ装置のＲＦ回路側に戻った基本周波数の高調波が中間周波数変換後にＲＦ信号の中間周波数帯域内に入らないように、受信周波数に応じて水晶振動子１１，１２を選択する。【選択図】　図１
2004056367.tif 000002
【特許請求の範囲】
【請求項１】
復調回路と、該復調回路にシステムクロックを供給するために異なる発振周波数を生じる複数の発振手段とを備えたチューナ装置であって、
受信周波数に応じて前記複数の発振手段のうちの１つを選択して発振させる発振選択手段を備えていることを特徴とするチューナ装置。
【請求項２】
前記発振手段は２つであり、前記発振選択手段は前記発振手段のうちのいずれか１つを選択することを特徴とする請求項１記載のチューナ装置。
【請求項３】
前記発振手段は水晶振動子を含むことを特徴とする請求項１または２記載のチューナ装置。
【請求項４】
前記発振選択手段は、切替信号に応じて前記発振手段の前記復調回路への接続を切り替える切替手段であることを特徴とする請求項１ないし３のいずれか１項に記載のチューナ装置。
【請求項５】
前記復調回路は、汎用Ｉ／Ｏポートを有しており、外部から与えられる切り替えのための２値のデータに基づいて高レベルおよび低レベルの電圧を前記切替信号として発生し、かつ前記汎用Ｉ／Ｏポートから出力することを特徴とする請求項４記載のチューナ装置。
【請求項６】
局部発振周波数を制御するＰＬＬ回路をさらに備え、
該ＰＬＬ回路は、汎用Ｉ／Ｏポートを有しており、外部から与えられる切り替えのための２値のデータに基づいて高レベルおよび低レベルの電圧を前記切替信号として発生し、かつ前記汎用Ｉ／Ｏポートから出力することを特徴とする請求項４記載のチューナ装置。
【請求項７】
前記復調回路はＱＡＭ復調回路であることを特徴とする請求項１ないし６のいずれか１項に記載のチューナ装置。
【請求項８】
前記復調回路はＯＦＤＭ復調回路であることを特徴とする請求項１ないし６のいずれか１項に記載のチューナ装置。
【請求項９】
前記復調回路はＶＳＢ復調回路であることを特徴とする請求項１ないし６のいずれか１項に記載のチューナ装置。
【請求項１０】
前記復調回路はＱＰＳＫ復調回路であることを特徴とする請求項１ないし６のいずれか１項に記載のチューナ装置。
【請求項１１】
前記復調回路は８ＰＳＫ復調回路であることを特徴とする請求項１ないし６のいずれか１項に記載のチューナ装置。
【発明の詳細な説明】
【０００１】
【発明の属する技術分野】
本発明は、ＣＡＴＶ，地上波，衛星の各放送におけるデジタル放送における、デジタル放送受信用チューナとして、各変調方式に対応した復調器を内蔵したチューナ装置に関するものである。
【０００２】
【従来の技術】
ＣＡＴＶ、地上波、衛星の各デジタル放送における、デジタル放送受信用チューナとして、各放送の変調方式に対応した復調用ＩＣを内蔵したチューナ、いわゆるＮＩＭ（Ｎｅｔｗｏｒｋ　Ｉｎｔｅｒｆａｃｅ　Ｍｏｄｕｌｅ）チューナが増えている。このようなＮＩＭチューナでは、各復調器のシステムクロックとして水晶振動子を用いるのが一般的である。
【０００３】
このような従来のチューナ装置は、例えば、図６に示すように構成されている。このチューナ装置において、入力端子１から入力されたＲＦ信号（高周波信号）は、ハイパスフィルタ２で低周波数成分が除去され、初段のＲＦアンプ３で増幅された後、バンドパスフィルタ４で帯域制限される。バンドパスフィルタ４を経た信号は、ミキサ５で中間周波数のＩＦ信号に変換され、ＩＦアンプ８で増幅される。増幅後のＩＦ信号は、さらに復調ＩＣで検波されて復調された後、出力端子１０から復調信号として出力される。
【０００４】
ミキサ５では、ＶＣＯ６で発生したローカル信号（ＶＣＯ６の発振周波数を有する）と入力信号とが混合されることによって、ＲＦ信号がＩＦ信号（中間周波信号）に変換される。ＶＣＯ６の発振周波数は、ＶＣＯ６に設けられたタンク回路（図示せず）の容量をＰＬＬ−ＩＣ７で調整することによって、指定されたチャンネルに応じた一定値に制御される。
【０００５】
また、上記の復調ＩＣ９は、入力されるアナログのＩＦ信号をデジタルに変換するためにＡ／Ｄ変換器に与えるサンプリングクロックなどとして、システムクロックを必要とする。このため、復調ＩＣ９には、システムクロックの供給源として水晶振動子１１が接続されている。
【０００６】
【発明が解決しようとする課題】
上記のチューナ装置において、この水晶振動子１１を用いた発振回路では、システムクロックとして本来必要となる基本周波数だけではなく、その高調波となる周波数も発振する。しかも、この周波数は、チューナ内部では不要なスプリアス信号となる。特に、システムクロックの高調波の発振レベルが大きい場合、チューナの受信周波数によっては、そのスプリアス信号が受信帯域内に入り込んで妨害信号となり、受信特性に悪影響を及ぼす。
【０００７】
例えば、デジタルＣＡＴＶチューナで受信周波数ＲＦ：４７ＭＨｚ〜８６２ＭＨｚ、中間周波数ｆｏ：４４ＭＨｚ、受信帯域幅Ｂｗ：６ＭＨｚ（ｆｏ±３ＭＨｚ）、ＱＡＭ復調用システムクロック周波数ｆｃ：３５．２ＭＨｚの仕様の場合、システムクロックの２倍高調波は７０．４ＭＨｚ，３倍高調波は１０５．６ＭＨｚとなる。このため、ＲＦ周波数７０ＭＨｚや１０５ＭＨｚを受信した場合は、それぞれシステムクロックの２倍、３倍の高調波との差が４００ｋＨｚ，６００ｋＨｚとなる。そして、７０ＭＨｚ受信時の２倍高調波７０．４ＭＨｚは中間周波数変換後に４３．６ＭＨｚとなり、１０５ＭＨｚ受信時の３倍高調波１０５．６ＭＨｚは中間周波数変換後に４３．４ＭＨｚとなり、どちらも４４±３ＭＨｚ（ｆｏ±３ＭＨｚ）内に入るため、そのスプリアス信号レベルが大きい場合は妨害信号となり、受信特性に悪影響を及ぼす。
【０００８】
このような問題は、前記のスプリアス信号がチューナのＲＦ回路へ戻ってしまうことが原因で生じる。この問題に対しては、これまではチューナのシールド構造やグランドパターンを工夫することなどで対策していたが、昨今、チューナが小型化されていく傾向の中ではそれらの対策が困難になってきている。
【０００９】
なお、ＰＬＬで使用する水晶振動子の発振周波数は復調ＩＣで用いられる水晶振動子の発振周波数に比べて一般的に低いため（４ＭＨｚ等）、その２〜３倍の高調波が受信帯域に入り込むことはない。
【００１０】
本発明は、上記の問題に鑑みてなされたものであって、水晶振動子の基本周波数の高調波がスプリアス信号としてＲＦ回路に戻っても、受信特性に悪影響を及ぼさないようなチューナ装置の改良を提供することを目的としている。
【００１１】
【課題を解決するための手段】
本発明のチューナ装置は、上記の課題を解決するために、復調回路と、該復調回路にシステムクロックを供給するために異なる発振周波数を生ずる複数の発振手段とを備えたチューナ装置であって、受信周波数に応じて前記複数の発振手段のうちの１つを選択して発振させる発振選択手段を備えていることを特徴としている。上記のチューナ装置において、前記発振手段は２つであり、前記発振選択手段は前記発振手段のうちのいずれか１つを選択するように構成されていてもよい。また、上記のチューナ装置において、前記発振手段は水晶振動子であってもよい。
【００１２】
上記の構成では、発振手段により発生する発振周波数の高調波がチューナ装置の入力側に戻っても、高調波が受信帯域内に入り込まないような発振周波数の発振手段を発振選択手段によって選択して発振させることで、高調波がスプリアス信号となって受信を妨害することを回避できる。また、２つの発振手段を備えることによって、一方の発振手段が発生する高調波の影響を受けるとき、他方の発振手段を選択することによって、その影響を回避することができる。２つの発振手段のいずれかを選択することで高調波の影響を回避することが困難な場合は、さらに発振手段を備えればよい。
【００１３】
上記のチューナ装置において、前記発振選択手段は、切替信号に応じて前記発振手段の前記復調回路への接続を切り替える切替手段であることが好ましい。このような構成では、受信周波数に応じて設定された切替信号を用いることによって、容易に発振手段を選択することができる。
【００１４】
また、このチューナ装置においては、前記復調回路が、汎用Ｉ／Ｏポートを有しており、外部から与えられる切り替えのための２値のデータに基づいて高レベルおよび低レベルの電圧を前記切替信号として発生し、かつ前記汎用Ｉ／Ｏポートから出力すること、もしくは局部発振周波数を制御するＰＬＬ回路をさらに備え、該ＰＬＬ回路は、汎用Ｉ／Ｏポートを有しており、外部から与えられる切り替えのための２値のデータに基づいて高レベルおよび低レベルの電圧を前記切替信号として発生し、かつ前記汎用Ｉ／Ｏポートから出力することが好ましい。このような構成により、切替信号としての電圧を発生するための回路を別途設ける必要がなくなる。
【００１５】
上記のいずれのチューナ装置においても、前記復調回路は、ＱＡＭ復調回路、ＯＦＤＭ復調回路、ＶＳＢ復調回路、ＱＰＳＫ復調回路、８ＰＳＫ復調回路のいずれかであることが好ましい。これにより、復調回路としてＱＡＭ復調回路を内蔵したデジタルＣＡＴＶチューナ、ＯＦＤＭ復調回路を内蔵したデジタル地上波チューナ、ＶＳＢ復調回路を内蔵したデジタル地上波チューナ、ＱＰＳＫ復調回もしくは８ＰＳＫ復調回路を内蔵したデジタル衛星放送用チューナに本発明を適用することができる。
【００１６】
【発明の実施の形態】
〔実施の形態１〕
本発明の実施の一形態について図１および図２に基づいて説明すれば、以下の通りである。なお、本実施の形態のチューナ装置において、図６に示した前述の従来のチューナ装置の構成要素と同等の機能を有する構成要素については、同一の符号を付記する。
【００１７】
本実施の形態に係るチューナ装置は、図１に示すように、入力端子１、ハイパスフィルタ２、ＲＦアンプ３、バンドパスフィルタ４は、ミキサー５、ＶＣＯ（Ｖｏｌｔａｇｅ　Ｃｏｎｔｒｏｌｅｄ　Ｏｓｃｉｌｌａｔｏｒ）６、ＰＬＬ−ＩＣ７、ＩＦアンプ８、復調ＩＣ９、出力端子１０，水晶振動子１１，１２、切替回路１３および制御端子１４を備えている。
【００１８】
ハイパスフィルタ２は、入力端子１から入力された４７ＭＨｚ〜８６２ＭＨｚのＲＦ信号（高周波信号）の低周波数成分を除去して、高周波数成分を通過させる。ＲＦアンプ３は、ハイパスフィルタ２からの信号を復調ＩＣ９で生成されるＲＦ　ＡＧＣ信号に基づいて制御したゲインで増幅する回路である。バンドパスフィルタ４は、チャンネル幅にほぼ等しい通過帯域幅を持っており、ＲＦアンプ３からの信号の帯域を制限する。
【００１９】
ミキサ５は、ＶＣＯ６で発生したローカル信号（ＶＣＯ６の発振周波数を有する）とバンドパスフィルタ４を経た入力信号とを混合することによって、入力信号をＩＦ信号（中間周波信号）に変換する回路である。ＶＣＯ６は、上記のローカル信号を発生する電圧制御型の発振回路である。
【００２０】
ＰＬＬ−ＩＣ７は、ＶＣＯ６からのローカル信号を図示しない基準信号発生器からの基準信号を基に生成される複数の分周信号に一致させるように制御するＰＬＬ（Ｐｈａｓｅ　Ｌｏｃｋｅｄ　Ｌｏｏｐ）回路を含むＩＣである。このため、ＰＬＬ−ＩＣ７は、ＶＣＯ６の発振周波数（局部発振周波数）をＶＣＯ６のタンク回路の容量を調整することによって、指定されたチャンネルに応じた値に制御する。
【００２１】
ＩＦアンプ８は、ミキサ５からのＩＦ信号を復調ＩＣ９で生成されるＩＦ　ＡＧＣ信号に基づいて制御したゲインで増幅する回路である。
【００２２】
復調ＩＣ９は、ＩＦアンプ８からのＩＦ信号を検波復調して復調信号を出力するとともに、ＩＦ信号に基づいて、ＲＦアンプ３に与えるためのＲＦ　ＡＧＣ制御信号およびＩＦアンプ８に与えるためのＩＦ　ＡＧＣ信号制御信号を生成する復調回路が集積化されたＩＣである。この復調ＩＣ９は、デジタルで処理するために、アナログのＩＦ信号をデジタルに変換するＡ／Ｄ変換器を備えている。また、生成した上記の両ＡＧＣ制御信号をアナログに変換するためのＤ／Ａ変換器を備えている。
【００２３】
復調ＩＣ９に集積化された復調回路としては、ＱＡＭ（Ｑｕａｄｒａｔｕｒｅ　Ａｍｐｌｉｔｕｄｅ　Ｍｏｄｕｌａｔｉｏｎ）復調回路、ＯＦＤＭ（Ｏｒｔｈｏｇｏｎａｌ　Ｆｒｅｑｕｅｎｃｙ　Ｄｉｖｉｓｉｏｎ　Ｍｕｌｔｉｐｌｅｘ）復調回路、ＶＳＢ（Ｖｅｓｔｉｇｉａｌ　Ｓｉｄｅ　Ｂａｎｄ）復調回路、ＱＰＳＫ（Ｑｕａｔｅｒｎａｒｙ　Ｐｈａｓｅ　Ｓｈｉｆｔ　Ｋｅｙｉｎｇ）復調回路、８ＰＳＫ（８　Ｐｈａｓｅ　Ｓｈｉｆｔ　Ｋｅｙｉｎｇ）復調回路などである。
【００２４】
また、復調ＩＣ９には、発振手段としての水晶振動子１１，１２が切替回路１３を介して接続されている。復調ＩＣ９は、水晶振動子１１，１２の一定周波数の振動を基に周波数信号（システムクロック）を発生するための発振回路を有しており、この発振回路と水晶振動子１１，１２とで水晶発振器が構成される。この水晶発振器から出力されるシステムクロックは、上記のＡ／Ｄ変換器、Ｄ／Ａ変換器などに与えられる。
【００２５】
発振手段としての水晶振動子１１，１２は、互いに異なる発振周波数を発生する。例えば、前記の復調ＩＣ９がＳＴＶ０２９７（ＳＴマイクロエレクトロニクス製）のＱＡＭ復調ＩＣである場合、水晶振動子１１，１２の発振周波数として、復調ＩＣ９に入力されるＩＦ信号の４／５倍の周波数と４／９倍の周波数とをそれぞれ使用することができる。前述の従来技術について説明した例と同様、デジタルＣＡＴＶチューナで受信周波数ＲＦ：４７ＭＨｚ〜８６２ＭＨｚ、中間周波数ｆｏ：４４ＭＨｚ、受信帯域幅Ｂｗ：６ＭＨｚ（ｆｏ±３ＭＨｚ）の場合、水晶振動子１１，１２による２種類の発振周波数に基づいて３５．２ＭＨｚおよび１９．５５６ＭＨｚのシステムクロック周波数ｆｃが得られる。
【００２６】
図２に示すように、発振選択手段としての切替回路１３は、ダイオードＤ１，Ｄ２、抵抗Ｒ１〜Ｒ６およびコンデンサＣ１，Ｃ２を備えている。
【００２７】
ダイオードＤ１のカソードおよびダイオードＤ２のアノードは抵抗Ｒ１の一端に接続され、この抵抗Ｒ１の他端は抵抗Ｒ２の一端が接続されるとともに切替信号Ｈ／Ｌが入力される。抵抗Ｒ２の他端は電源電圧Ｖｃｃを与える電源ラインに接続されている。また、抵抗Ｒ１とダイオードＤ１，Ｄ２との接続点は、コンデンサＣを介して復調ＩＣ９の接続端子Ｘｏｕｔ　に接続される。
【００２８】
ダイオードＤ１のアノードは直列接続された抵抗Ｒ３，Ｒ４の接続点に接続されている。抵抗Ｒ３の他端は上記の電源ラインに接続され、抵抗Ｒ４の他端は接地ラインに接続されている。また、抵抗Ｒ３，Ｒ４の接続点はコンデンサＣ１を介して水晶振動子１１の一端に接続されている。一方、ダイオードＤ２のカソードは直列接続された抵抗Ｒ５，Ｒ６の接続点に接続されている。抵抗Ｒ５の他端は上記の電源ラインに接続され、抵抗Ｒ６の他端は接地ラインに接続されている。また、抵抗Ｒ５，Ｒ６の接続点はコンデンサＣ２を介して水晶振動子１２の一端に接続されている。
【００２９】
水晶振動子１１，１２の他端は、ともに復調ＩＣの接続端子Ｘｉｎに接続されている。水晶振動子１１の両端にはそれぞれコンデンサＣ３，Ｃ４の一端が接続され、コンデンサＣ３，Ｃ４の他端は接地ラインに接続されている。また、水晶振動子１２の両端にはそれぞれコンデンサＣ５，Ｃ６の一端が接続され、コンデンサＣ５，Ｃ６の他端は接地ラインに接続されている。これらのコンデンサＣ３〜Ｃ６は、発振回路の一部となる。
【００３０】
上記のように構成される切替回路１３は、“Ｈ”（ハイレベル）の切替信号Ｈ／Ｌが入力されると、ダイオードＤ２が導通する一方、ダイオードＤ１が導通しないので、水晶振動子１２を選択して復調ＩＣ９に接続する。一方、切替回路１３は、“Ｌ”（ローレベル）の切替信号Ｈ／Ｌが入力されると、ダイオードＤ１が導通する一方、ダイオードＤ２が導通しないので、水晶振動子１１を選択して復調ＩＣ９に接続する。
【００３１】
上記の切替信号Ｈ／Ｌは、例えば、チューナ装置の外部に設けられたＣＰＵからの制御データ“１”および“０”に基づいて図示しない制御信号発生回路によって発生し、図１に示すようにチューナ装置の制御端子１４を介して切替回路１３に与えられる。
【００３２】
上記のように構成されるチューナ装置では、切替回路１３によって、水晶振動子１１または水晶振動子１２のいずれか一方が選択されて復調ＩＣ９に接続される。水晶振動子１１または水晶振動子１２は、復調ＩＣ９に接続されることにより振動し、復調ＩＣ９内部では、発振回路により、水晶振動子１１または水晶振動子１２で発生した基本周波数のシステムクロックが生成される。また、水晶振動子１１，１２は、基本周波数以外に基本周波数の２倍，３倍高調波などの高調波も発生している。
【００３３】
なお、切替回路１３は、切替信号Ｈ／Ｌに基づいて水晶振動子１１，１２を選択することができればよく、上記の構成に限定されない。
【００３４】
本チューナ装置では、この高調波がＲＦ回路（ハイパスフィルタ２，ＲＦアンプ３，バンドパスフィルタ４）側に回り込んで、ミキサ５により中間周波数に変換された後も受信信号（ＲＦ信号）の中間周波数帯域内に入らないように、水晶振動子１１または水晶振動子１２が切替回路１３によって選択される。これにより、水晶振動子１１，１２が発生する基本周波数の高調波が中間周波数変換後に受信信号の中間周波数帯域内にスプリアス信号として入り込むことを防止できる。したがって、チューナ装置において、そのようなスプリアス信号の入り込みを防止するためのシールド構造やグランドパターンの改良などが不要になり、良好な受信特性を有するチューナ装置の小型化を容易に図ることができる。
【００３５】
前述の例ように、水晶振動子１１，１２による２種類の基本周波数３５．２ＭＨｚおよび１９．５５６ＭＨｚを用いた場合、１９．５５６ＭＨｚの２倍高調波は３９．１１２ＭＨｚとなり、３倍高調波は５８．６６８ＭＨｚとなり、４倍高調波は７８．２２４ＭＨｚとなるが、例えば受信周波数が７０ＭＨｚである場合は、２倍，３倍高調波が中間周波数に変換された後には、７４．８８８ＭＨｚ，１８．５５６ＭＨｚとなり、４４±３ＭＨｚに入り込まない。一方、３５．２ＭＨｚの２倍高調波は７０．４ＭＨｚとなり、３倍高調波は１０５．６ＭＨｚとなり、４倍高調波は１４０．８ＭＨｚとなるが、例えば受信周波数が１０５ＭＨｚである場合は、２倍，３倍，倍高調波が中間周波数に変換された後には、１０９．８８８ＭＨｚ，９０．３３２ＭＨｚ，７０．７７６ＭＨｚとなり、４４±３ＭＨｚに入り込まない。
【００３６】
〔実施の形態２〕
本発明の実施の他の形態について図３ないし図５に基づいて説明すれば、以下の通りである。なお、本実施の形態のチューナ装置において、図１に示したチューナ装置の構成要素と同等の機能を有する構成要素については、同一の符号を付記する。
【００３７】
本実施の形態に係るチューナ装置は、図３に示すように、図１に示すチューナ装置と同様、入力端子１、ハイパスフィルタ２、ＲＦアンプ３、バンドパスフィルタ４は、ミキサー５、ＶＣＯ６、ＰＬＬ−ＩＣ７、ＩＦアンプ８、復調ＩＣ９、出力端子１０，水晶振動子１１，１２、切替回路１３および制御端子１４を備えている。本チューナ装置は、復調ＩＣ９から切替回路１３へ切替信号Ｈ／Ｌを与えることが、図１のチューナ装置と異なる。
【００３８】
復調ＩＣ９は、図４に示すように、ユーザが自由に使用できる汎用Ｉ／Ｏポートを端子Ｔとして有している。復調ＩＣ９は、チューナ装置を内蔵する受信機に設けられたＣＰＵからＩ２Ｃバス（もしくは３−Ｗｉｒｅバス）を介して送信されたデータを書き込むことで汎用Ｉ／Ｏポートが制御される。具体的には、復調ＩＣ９は、その書き込みデータフォーマットにおいて、使用したい汎用Ｉ／Ｏポート制御用に割り当てられたビットに、上記のデータとして“１”または“０”が書き込まれることで、端子Ｔの出力を“Ｈ”または“Ｌ”に切り替える。このとき、復調回路ＩＣ９は、Ｉ２Ｃのリードモードでハイレベルの電圧またはローレベルの電圧が読み出される。
【００３９】
本チューナ装置は、その端子Ｔの出力を切替信号Ｈ／Ｌとして利用して、切替回路１３を制御している。
【００４０】
本実施の形態に係る他のチューナ装置は、図５に示すように、図１に示すチューナ装置と同様、入力端子１、ハイパスフィルタ２、ＲＦアンプ３、バンドパスフィルタ４は、ミキサー５、ＶＣＯ６、ＰＬＬ−ＩＣ７、ＩＦアンプ８、復調ＩＣ９、出力端子１０，水晶振動子１１，１２、切替回路１３および制御端子１４を備えている。本チューナ装置は、ＰＬＬ−ＩＣ７から切替回路１３へ切替信号Ｈ／Ｌを与えることが、図１のチューナ装置と異なる。
【００４１】
ＰＬＬ−ＩＣ７は、図５に示すように、ユーザが自由に使用できる汎用Ｉ／Ｏポートを端子Ｓとして有している。ＰＬＬ−ＩＣ７は、前述のＣＰＵからＩ２Ｃバス（もしくは３−Ｗｉｒｅバス）を介して送信されたデータを書き込むことで汎用Ｉ／Ｏポートが制御される。具体的には、ＰＬＬ−ＩＣ７は、復調ＩＣ９と同様、その書き込みデータフォーマットにおいて、使用したい汎用Ｉ／Ｏポート制御用に割り当てられたビットに、上記のデータとして“１”または“０”が書き込まれることで、端子Ｔの出力を“Ｈ”または“Ｌ”に切り替える。このとき、ＰＬＬ−ＩＣ７は、Ｉ２Ｃのリードモードでハイレベルの電圧またはローレベルの電圧が読み出される。
【００４２】
本チューナ装置は、その端子Ｓの出力を切替信号Ｈ／Ｌとして利用して、切替回路１３を制御している。
【００４３】
上記の２つのチューナ装置では、復調ＩＣ９およびＰＬＬ−ＩＣ７の汎用Ｉ／Ｏポートを利用してソフトウェアで切替信号Ｈ／Ｌを発生させている。これにより、図１のチューナ装置のように切替信号Ｈ／Ｌ（“Ｈ”および“Ｌ”の電圧）を生成するための専用の回路を別途設ける必要がなく、チューナ装置のコスト低減を図ることができる。
【００４４】
なお、実施の形態１および２では、２つの水晶振動子１１，１２を用いる例について説明した。これは、水晶振動子１１，１２のいずれか一方が発生する高調波の影響を受けるとき、他方を選択することによって、上記のようにその影響を回避できるからである。本発明は、これに限らず、２つの水晶振動子のいずれかを選択しても高調波の影響を回避することが困難であれば、３つ以上の水晶振動子を用いて、切替回路１３によって、それらの水晶振動子から１つを選択するようにしてもよい。この場合、本実施の形態のようにソフトウェアで水晶振動子を切り替えるには、各水晶振動子の一端と復調ＩＣ９との間にそれぞれ１つずつトランジスタを接続しておき、２値のデータではなく、例えば、水晶振動子の数に応じたビット数のＣＰＵからのデータをデコーダでデコードし、そのデコード信号でトランジスタを導通させることで、１つの水晶振動子のみを復調ＩＣ９に接続させる。
【００４５】
また、両実施の形態では、水晶振動子を用いたが、これに限らずセラミック振動子を用いてもよい。また、発振器としてＣＲ発振器やＬＲ発振器などを用いてもよいが、周波数安定度やフェイスノイズの観点から、水晶振動子を用いることが最も好ましい。
【００４６】
【発明の効果】
以上のように、本発明のチューナ装置は、復調回路と、該復調回路にシステムクロックを供給するために異なる発振周波数を生ずる複数の発振手段と、受信周波数に応じて前記複数の発振手段のうちの１つを選択して発振させる発振選択手段とを備えている構成である。
【００４７】
これにより、発振手段により発生する発振周波数の高調波がチューナ装置の入力側に戻っても、高調波が受信帯域内に入り込まないような発振周波数の発振手段を発振選択手段によって選択することで、高調波がスプリアス信号となって受信を妨害することを回避できる。したがって、発振周波数の高調波が受信帯域内に入り込むことを防止するためのシールド構造やグランドパターンの工夫などを施す必要がなくなるので、チューナ装置の小型化を図りながら、受信特性を向上させることができるという効果を奏する。
【図面の簡単な説明】
【図１】本発明の実施の形態１に係るチューナ装置の構成を示すブロック図である。
【図２】図１のチューナ装置における切替回路の構成を示すブロック図である。
【図３】本発明の実施の形態２に係るチューナ装置の構成を示すブロック図である。
【図４】図３のチューナ装置における切替回路の構成を示すブロック図である。
【図５】本発明の実施の形態２に係るチューナ装置の構成を示すブロック図である。
【図６】従来のチューナ装置の構成を示すブロック図である。
【符号の説明】
７　　　　　ＰＬＬ−ＩＣ（ＰＬＬ回路）
９　　　　　復調ＩＣ（復調回路）
１１，１２　　水晶振動子（発振手段）
１３　　　　　切替手段
Ｈ／Ｌ　　　　切替信号
Ｓ，Ｔ　　　　端子（汎用Ｉ／Ｏポート）
【図１】
2004056367.tif 000003
【図２】
2004056367.tif 000004
【図３】
2004056367.tif 000005
【図４】
2004056367.tif 000006
【図５】
2004056367.tif 000007
【図６】
2004056367.tif 000008